(57)【要約】      （修正有）【課題】年少の園児や生徒にあっても、ホイッスルを素早く取り出すことができ、犯罪の発生を有効に防止することが可能な学生用の制服及び体操服の提供。【解決手段】学生用の制服１や体操服の前面に開口部３１が設けられたポケット部３を備える。このポケット部３にはホイッスル２が収納され、このホイッスル２に取り付けられた紐２１を通すことができるテープ状部材４がポケット部３の上方に設けられている。テープ状部材４は、その左右両端が制服１の身頃に固定され、その表面側に再帰性反射材を備えたものとする。【選択図】図１
0003110928.tif 000002
【実用新案登録請求の範囲】
【請求項１】
園児生徒が登下校時に着用する学生用の制服及び体操服において、
制服の前面に開口部が設けられたポケット部を備え、
このポケット部にホイッスルが収納され、このホイッスルには紐が取り付けられ、
このポケット部の開口部の上部に上記のホイッスルの紐を取り付けることができるテープ状部材が配位され、
このテープ状部材は、その左右両端が制服の身頃に固定され、中央部分にホイッスルの紐が通されて取り付けられ、
テープ状部材に通された紐を持ってホイッスルをポケットから引き出し、口にくわえて吹くことができるようにしたことを特徴とするホイッスル付け対応の学生用の制服及び体操服。
【請求項２】
園児生徒が登下校時に着用する学生用の制服及び体操服において、
制服の前面に開口部が設けられた無蓋のポケット部を備え、
このポケット部はホイッスルを収納できる大きさを有し、かつ
このポケット部の開口部の上部にホイッスルの紐を取り付けることができるテープ状部材が配位され、
このテープ状部材は、その左右両端が制服の身頃に固定され、中央部分にホイッスルの紐を通して取り付けることができると共に、その表面側に再帰性反射材を備え、
テープ状部材に通された紐を持ってホイッスルをポケットから引き出し、口にくわえて吹くことができるようにしたことを特徴とするホイッスル付け対応の学生用の制服及び体操服。
【考案の詳細な説明】
【技術分野】
【０００１】
本願考案は、園児や生徒が登下校時に主として着用する学生用の制服及び体操服に関するものである。
【背景技術】
【０００２】
今日、登下校時の園児や生徒（以下、これらをまとめて学生という）に対するイタズラや犯罪が急増しており、父兄や学校関係者はその対応に苦慮している。その対応策の一つとして、通学中の学生にホイッスルを持たせて、不審者などが近づいたりイタズラをしようとするときに、ホイッスルを吹かせるようにするという方策がある。
ところが、ホイッスルを単にポケットに入れるようにしておくだけでは、いざというときに素早く取り出せなかったり、遊んでいる間に紛失してしまうという課題がある。
【０００３】
他方、特許文献１にあっては、警備服の前面の上部ポケットのポケット蓋にフック等の吊り下げ部材を設け、この吊り下げ部材にホイッスルを着脱可能に吊り下げることによって、ホイッスルを肩に荷重がかからず迅速に使用することができるようにした警備服が提案されている。ところが、この警備服にあっては、ポケット蓋にフック等の吊り下げ部材を設けたもので、ポケット蓋を開けて、フックからホイッスルを外して、使用する必要があり、年少の学生が襲われそうになっている時にかかる動作を素早く行うことができるか疑問がある。
【０００４】
【特許文献１】登録実用新案第３００１３１６号公報
【考案の開示】
【考案が解決しようとする課題】
【０００５】
本願考案は、年少の園児や生徒にあっても、ホイッスルを素早く取り出すことができ、犯罪の発生を有効に防止することが可能な学生用の制服及び体操服を提供することを目的とするものである。
【課題を解決するための手段】
【０００６】
本願の請求項１に係る考案は、園児生徒が登下校時に着用する学生用の制服及び体操服において、制服の前面に開口部が設けられたポケット部を備え、このポケット部にホイッスルが収納され、このホイッスルには紐が取り付けられ、このポケット部の開口部の上部に上記のホイッスルの紐を取り付けることができるテープ状部材が配位され、このテープ状部材は、その左右両端が制服の身頃に固定され、中央部分にホイッスルの紐が通されて取り付けられ、テープ状部材に通された紐を持ってホイッスルをポケットから引き出し、口にくわえて吹くことができるようにしたことを特徴とするホイッスル付け対応の学生用の制服及び体操服を提供する。
本願の請求項２に係る考案は、園児生徒が登下校時に着用する学生用の制服及び体操服において、制服の前面に開口部が設けられた無蓋のポケット部を備え、このポケット部はホイッスルを収納できる大きさを有し、かつこのポケット部の開口部の上部にホイッスルの紐を取り付けることができるテープ状部材が配位され、このテープ状部材は、その左右両端が制服の身頃に固定され、中央部分にホイッスルの紐を通して取り付けることができると共に、その表面側に再帰性反射材を備え、テープ状部材に通された紐を持ってホイッスルをポケットから引き出し、口にくわえて吹くことができるようにしたことを特徴とするホイッスル付け対応の学生用の制服及び体操服を提供するものである。
【考案の効果】
【０００７】
本願考案にあっては、制服の前面に開口部が設けられたポケット部に、ホイッスルを
収納することができ、このポケット部の開口部の上部に設けられたテープ状部材にホイッスルの紐を取り付けることによって、テープ状部材に通された紐を持ってホイッスルをポケットから素早く引き出すことが年少者でも可能であり、ホイッスルを紛失することもない。よって、本願考案は、年少の園児や生徒にあっても、ホイッスルを素早く取り出すことができ、年少者に対する犯罪の発生防止に寄与することができる学生用の制服及び体操服を提供し得たものである。また、テープ状部材の表面側に再帰性反射材を設けることによって、夜間の視認性を高め交通事故防止にも寄与し得るものである。
【考案を実施するための最良の形態】
【０００８】
以下、図面に基づき本願考案の実施の形態を説明する。
図１は本願考案の実施の形態に係る学生用の制服の正面図であり、図２は同学生用の制服の使用状態を示す要部拡大図である。
【０００９】
この制服１は、園児生徒が登下校時に着用する学生用の制服であり、この制服１には、ホイッスル２が収納されたポケット部３が設けられている。制服１のデザインは自由であり、ポロシャツやトレーナー風のものから、ブレザー風のものや防寒着まで、適宜変更して実施し得る。また、学生が団体で着用する体操服として実施してもよい。ホイッスル２は、口にくわえて吹くことにより大きな音がなるもので、全長１０cm未満であり、８０cm程度の紐２１が取り付けられている。
【００１０】
ポケット部３は、制服１の表面に縫い付けて形成したものであっても、制服１の内部に設けたものであってもよいが、開口部３１が制服１の前面（望ましくは胸部）に形成される。そして、この開口部３１の上部には、ホイッスル２の紐２１を取り付けることができるテープ状部材４が配位される。このテープ状部材４は、その左右両端４１、４１が制服１の身頃に固定され、中央部分４２にホイッスル２の紐２１を通すことができるようになされている。このテープ状部材４の両端は、身頃に縫着すればよいが、起毛面ファスナやホックなどによって、身頃に着脱可能に固定してもよい。テープ状部材４の素材は、身頃と同じ素材としてもよく、或いは、他の布製の素材としてもよく、また、軟質の合成樹脂製などの布以外の素材を用いてもよい。さらに、このテープ状部材４の表面側に再帰性反射材を設けることによって、夜間の視認性を高め交通事故に対する安全性を向上させることも可能である。なおこのポケット部３は、ポケット蓋を設けて実施してもよいが、蓋を設けないほうが、ホイッスル２を素早く取り出すことができる点で有利である。
【００１１】
以上、この制服１や体操服を着用した学生は、いちいちポケット部３に手を入れてホイッスル２を掴まなくても、紐２１を引っ張り上げることによって、ホイッスル２を取り出すことができ、素早く、ホイッスル２を吹くことができる。しかも、遊んでいるうちに、ホイッスル２がポケットの外に飛び出しても、紐２１によって制服１に取り付けられているため、ホイッスル２を紛失してしまうこともない。よって、年少の園児や生徒にあっても、ホイッスル２を素早く取り出すことができ、その紛失をも防止し得るものであって、新規有用な学生用の制服及び体操服を提供し得たものである。
【図面の簡単な説明】
【００１２】
【図１】本願考案の実施の形態に係る学生用の制服の正面図である。
【図２】同学生用の制服の使用状態を示す要部拡大図である。
【符号の説明】
【００１３】
１    制服
２    ホイッスル
３    ポケット部
４    テープ状部材
２１  ホイッスルの紐
【図１】
0003110928.tif 000003
【図２】
0003110928.tif 000004